(57)【要約】【課題】  洗濯物をピンチなる乾燥用具にて吊るし乾燥させたる場合において、乾燥後の取り入れ手数を軽減し迅速化することが要求されている。【手段】  ローラーを装着した矩形状の支持枠に吊り手を接続して乾燥具本体に吊り下げ支持枠の中にピンチを嵌め入れ、ローラーにてピンチを受け支持する構成。【選択図】図２
0003138843.tif 000002
【実用新案登録請求の範囲】
【請求項１】
中央部に吊り手接続部をを具備してなる横長の矩形枠体の左右の両端部夫々にローラーを設け、該ローラーにて、矩形枠体に嵌入されたるピンチを受け支持するように成したることを特徴とする洗濯物乾燥用吊り具。
【請求項２】
請求項１記載の洗濯物乾燥用吊り具において、矩形枠体の吊り手接続部とピンチのバネとの間に脱落防止を設けて成ることを特徴とする洗濯物乾燥用吊り具。
【考案の詳細な説明】
【技術分野】
【０００１】  本考案は、一般家庭にて衣類、布製品等を洗濯後、乾燥するに際し、洗濯物を挟み吊る用具に関するものである。
【背景技術】
【０００２】  本考案は、一般家庭において衣類、布製品等を洗濯した場合に、洗濯物を挟み吊す乾燥用具の挟み部であって、一般ではピンチなる名称にて呼称されているものである。
洗濯挟みは相当古くより存在しており当初は木製であったが、プラスチック等の出現にて合成樹脂製品に変化した、しかし木製も合成樹脂製も構成上では同じものである。
バ  合成樹脂製になって相当な年月になるが、その間にバネの形状が変化した程度であって、構成上においての変化は長年無かったが、近年に至り、金属線にて作られた物、或いは、取り入れを迅速化したピンチが出現しているが、性能が悪く、耐用期間が短い等のため実用性が無く成功していない。【０００３】
【特許文献】  特開平０９−１５５０９８  特開２００５−０６６２６９  実用新案登録第３０９７１７４号
【考案の開示】
【考案が解決しようとする課題】
【０００４】  一般家庭用の洗濯物乾燥具としては、吊り挟み具、即ちピンチを、多数吊るしたものが、広く普及している、この乾燥具に洗濯物を吊す場合に手数を要するが、それは仕方のない事であるが、乾燥後の洗濯物を取り入れる場合に、迅速化する事が要望されて居り、その要望に応えるピンチが近年に、種々開発され市場にて販売されているが、性能において、実用にならないもの、或いは、実用になるとしても短期間にて破損し、耐久性に劣るもの等であり、需要者を満足させ得るものでなく、安価にて長年月の使用に耐え性能の優れた、ピンチが待望されて居る。
【課題を解決するための手段】
【０００５】  本考案は上記問題点を解決するために成されたものであって、乾燥を終えた洗濯物を、ピンチより取り外す場合に通常はピンチ上部の摘み部を指先にて挟み圧して、洗濯物をピンチより外して居たが、多数の洗濯物を迅速に取り入れるには、洗濯物を下方に引いてビンチより引き離す、この方法しか無いため、この方法の引き外し式ピンチが現今の市場に僅かながら出て居るが、欠陥を有するため売れていない。
本考案は洗濯物を下方に引く方法は同じであるが、ピンチの挟み部を開く構成が、従来の方式と全く異なって居る。
本考案は、従来のピンチを利用することは同じである、このピンチはＶ字形をなしており中心部に設けられた支点にて組み立てられ、摘み部の下方の平坦部に設けられた縦孔に挿し入れられたバネにて組み立てを保持し、且つ洗濯物をバネ圧にて挟持させている。
本考案は、Ｖ字形を成したるピンチの摘み部の下方の平坦面をローラーにて圧する事により、Ｖ字形の角度を縮小せしめ、洗濯物を挟んだ挟持部を開口せしめる。
このローラーは矩形状の枠体の両端に設けられており、この枠体の中にピンチが嵌め入れられ、Ｖ字形をなしたるピンチの外側の平坦にローラーが接してピンチを受け支えて、ピンチを保持している。【０００６】  両端にローラーを取り付けた矩形状の枠体の中央部には、吊り手を連結するための接続部が設けられて居り、乾燥具に吊り下げられたる吊り手の下端が、この接続部に接続される、このような構成なるためピンチ本体には直接に吊り手は接続されて居らず、フリーの状態であり、上下に自由に可動し得る状態にて保持されている。
ピンチの両上端の摘み部を指先にて挟み内方に押圧して、ピンチ下端の挟持部を開口し、そこに洗濯物を挟み吊す仕方は従来と同じである。
洗濯物が乾燥し終われば、洗濯物を手に持ち軽く下方に引くと、ピンチも共に下方に引かれ、そのため枠体のローラーにてピンチの外側面が押圧されＶ字形の角度が縮小され、挟持部を開口し洗濯物を、放す、ローラー及び枠体、接続部等の製作素材としては、金属、又は合成樹脂、等が好適素材であるが、使用可能であれば、どのような素材を利用しても良い事は勿論である。
本構成はローラーを使用しているため、性能が極めて優秀である、そのため洗濯物を過度に強く引くと、ローラーを設けた枠体からピンチ本体が抜け落ちる恐れがある、それを防止するため、脱落防止用の対策が成されている、その方法は多種多様あるが、線状材にて、引き止める方式が最も簡単、容易である。
【考案の効果】
【０００７】  本考案は次に記載する効果を奏する、構成が極めて簡単なるため製造が容易であり、且つ安価な素材にて製造できるため製造原価が低廉になる、そのため販売価格も勿論低廉化できる、又摩耗する部分、劣化する部分が無いため、長年月の使用にも破損しない。
本考案は洗濯物を僅かな引き下げ力にてピンチより引き離す事が可能なるため、洗濯物をまとめて複数を迅速に取り入れる事ができ、洗濯物を全く損傷せず、手数を大幅に短縮する事ができ理想的な乾燥具を提供するものである。
【考案を実施するための最良の形態】
【０００８】  吊り手接続部を設けた横長の矩形状の枠体の両端にローラーを装着し、この矩形枠体の中に従来の洗濯物乾燥用ピンチを嵌め入れ、枠体の脱落防止としてバネと枠体とを線状材にて連結して成る、洗濯物乾燥用の吊り具。
【実施例】
【０００９】  以下本考案を図面に基づき詳細に説明する、本考案は従来より一般にてピンチなる名称にて称呼され広く普及している洗濯物乾燥用挟み具に、引き外し用部品を組み合わせ洗濯物の取り外しを容易、迅速化したものである。
［図１］は本考案の洗濯物乾燥用吊り具の主要部である、支持枠１の斜視図であって、横長の矩形状を成しており、左右の端部には、円管のローラー２が設けられている、このローラー２は円管に限定されたものでなく、円筒にても良い事は勿論である。
横長矩形の支持枠１のローラー２の無い枠辺の中央部には、接続部３が設けられて居りこの接続部３の上端に吊り手４の下端が掛け止められ、吊り手４の上端は乾燥具に掛け止められる。、
支持枠１の製造素材としては、金属、又は合成樹脂が適材であるが、使用可能な素材でであれば、どのような素材を使用しても良い事は勿論である、製作が容易であり、得策な素材、耐用年限を考慮した素材を使用する。【００１０】  ［図２］は本考案の洗濯物乾燥用吊り具の正面図であって、５はピンチ本体である、このピンチ本体５は支持枠１の枠内に嵌入されて居り、Ｖ字形であるピンチ本体５の外側面６が支持枠１のローラー２に接して支え保持されて居る、このためピンチ本体５は自由に上下動が可能であり、全く拘束されて居ないため軽く可動する。
支持枠１のローラー２の通常時の位置は、バネ７に接する程度に接近せしめて作られて居る。【００１１】  ［図３］は本考案の洗濯物乾燥用吊り具の作動状態時の正面図であって、ピンチ本体５の下端の挟持部８が開いた状態を示したものである。
挟持部８に挟み保持された洗濯物が乾燥した場合に、取り入れに際し、その洗濯物を手に持ち下方に引けば、ピンチ本体５も当然下方に引かれる、そのためＶ字状を成したるピンチ本体５の外側面６は、支持枠１のローラー２に押圧され、Ｖ字状の角度が縮小される。Ｖ角度が縮小すると言う事は、ピンチ本体５の上端の摘み部９を指先にて挟み内方に押し圧した、従来の取り入れ方法と全く同じ作用になる。
本考案は、ローラー２の回転を利用しているため、作動力が軽減され、ピンチ本体５の外側面６を全く摩耗させない、そのため僅かな引き力にて洗濯物を取り外す事ができる。
本考案は極めて僅かな引き力にてピンチ本体５が下がるため、洗濯物を強く早く引くとピンチ本体５が支持枠１より脱落する恐れがある、それを防止するため、支持枠１の接続部３とピンチ本体５のバネ７とを、線状の素材にて脱落しないよう連結する。
ローラー２の形状としては円管形、又は円棒形のどちを使用しても良い事は勿論であ
本考案は、このような実施例に何等限定されるものでなく、本考案の要旨を逸脱しない範囲において、種々なる態様にて実施し得る事は勿論である。
【産業上利用の可能性】
【００１２】  本考案は極めて簡素な構成なるため、廉価にて生産、販売ができ、又洗濯物乾燥後の取り入れ手数が大幅に軽減でき、迅速化されるため生活上に多大な効果を奏する、このようなため一般産業上にて可能性が期待されている。
【図面の簡単な説明】
【００１３】
【図１】は本考案の洗濯物乾燥用吊り具の主要部品である支持枠１の斜視図である。
【図２】は本考案の洗濯物乾燥用吊り具の正面図である。
【図３】は本考案の洗濯物乾燥用吊り具が洗濯物を放した場合の状態図である。
【符号の説明】
【００１４】  １  支持枠
２  ローラー
３  接続部
４  吊り手
５  ピンチ
６  外側面
７  バネ
８  挟持部
９  摘み部
１０  脱落防止
【図１】
0003138843.tif 000003
【図２】
0003138843.tif 000004
【図３】
0003138843.tif 000005